(57)【要約】【課題】低コストかつ簡単な構成にて、全ての管路内に自動的に洗浄ブラシを２往復以上挿抜することができ、確実に擦り洗いできる構成を具備する洗浄消毒装置を提供する。【解決手段】第１の口金部１５に装着された後、吸引管路２０に洗浄ブラシ及び洗浄液を供給する第２の口金部３１と、第２の口金部３１に形成された吸引管路２０における一方の管路に連通する第１の開口３１ａ及び他方の管路に連通する第２の開口３１ｂと、第２の口金部３１の内部に設けられた分岐部２５に位置する回動自在な管路切替弁５０とを具備し、管路切替弁５０は、洗浄ブラシによる押圧による一方向への回転により傾斜面５０ｆのガイド溝５１によって洗浄ブラシを第１の開口３１ａを介して一方の管路側にガイドし、洗浄液による押圧による一方向への回転により傾斜面５０ｓのガイド溝５２によって洗浄ブラシを第２の開口３１ｂを介して他方の管路側にガイドすることを特徴とする。【選択図】図２
2009268809.tif 000002
【特許請求の範囲】
【請求項１】
長尺の洗浄ブラシを、被洗浄消毒物内に設けられた管路に自動的に挿抜するとともに洗浄液を前記管路に供給して、前記管路を洗浄する洗浄消毒装置であって、
前記被洗浄消毒物の外表面に設けられた前記管路に連通する第１の口金部に装着された後、前記管路に前記洗浄ブラシ及び前記洗浄液を供給する第２の口金部と、
前記第２の口金部に形成された、前記第１の口金部に前記第２の口金部が装着された際、前記第１の口金部内の分岐部において２方向に分岐された前記管路における一方の管路に連通する第１の開口及び他方の管路に連通する第２の開口と、
前記第２の口金部の内部に設けられた、前記第１の口金部に前記第２の口金部が装着された際、前記分岐部に位置する回動自在な管路切替弁と、
を具備し、
前記管路切替弁は、前記第２の口金部から前記管路に対して送液を伴わずに前記洗浄ブラシを供給した際、前記洗浄ブラシによって第１の面が一方向に第１の角度回転するよう押圧されることにより、前記洗浄ブラシを、前記第１の面によって前記第１の開口を介して前記一方の管路側にガイドし、
前記第２の口金部から前記管路に対して前記洗浄ブラシを伴わずに送液が行われると前記洗浄液によって前記第１の面が押圧されることにより、前記第１の角度より大きい第２の角度、前記一方向に回転し、前記第２の口金部から挿入された前記洗浄ブラシを、前記第１の面と反対側の第２の面によって前記第２の開口を介して前記他方の管路側にガイドすることを特徴とする洗浄消毒装置。
【請求項２】
前記管路切替弁の前記第１の面に、前記洗浄ブラシを前記一方の管路側にガイドする第１のガイド溝が設けられており、前記第２の面に、前記洗浄ブラシを前記他方の管路側にガイドする第２のガイド溝が設けられていることを特徴とする請求項１に記載の洗浄消毒装置。
【請求項３】
前記第１の口金部に前記第２の口金部が装着された際、前記管路切替弁は、前記洗浄ブラシまたは前記洗浄液による押圧前は、前記第１の面は、前記第１の口金の開口側を指向し、前記第２の面は、前記第１の開口側を指向していることを特徴とする請求項１または２に記載の洗浄消毒装置。
【請求項４】
前記管路切替弁は、前記洗浄液による押圧後は、前記第２の面は、前記第１の口金の前記開口側及び前記第２の開口側を指向することを特徴とする請求項３に記載の洗浄消毒装置。
【請求項５】
前記管路切替弁は、前記洗浄液による押圧後は、第２の口金の内壁に接触することによって、前記第２の角度が規定されることを特徴とする請求項４に記載の洗浄消毒装置。
【請求項６】
前記管路切替弁に、前記洗浄ブラシまたは前記洗浄液による押圧が終了した際、前記管路切替弁を押圧前の位置に、前記一の方向とは反対の他の方向に回転させて戻す戻し部材が設けられていることを特徴とする請求項３〜５のいずれか１項に記載の洗浄消毒装置。
【請求項７】
前記第２の口金は、前記第１の口金に装着された際、前記第１の口金と前記第２の口金とのいずれかに設けられた回転規制部材によって、前記第１の口金に対する回転方向の位置が規制されていることを特徴とする請求項１〜６のいずれか１項に記載の洗浄消毒装置。
【発明の詳細な説明】
【技術分野】
【０００１】
本発明は、長尺の洗浄ブラシを、被洗浄消毒物に設けられた管路に自動的に挿抜するとともに洗浄液を管路に供給して、管路を洗浄する洗浄消毒装置に関する。
【背景技術】
【０００２】
体腔内の検査や治療の目的に使用される内視鏡は、体腔内に挿入する挿入部の外表面だけでなく、送気送水管路、前方送水管路、吸引管路、処置具挿通用管路等の各内視鏡管路にも汚物が付着する。
【０００３】
そのため、使用済みの内視鏡は、外表面に限らず、必ず各管路までも洗浄、消毒する必要がある。このため、近年では、内視鏡の各管路までをも自動的に洗浄消毒することができる内視鏡洗浄消毒装置（以下、単に洗浄消毒装置と称す）が実用化されている。
【０００４】
また、内視鏡の管路、特に、吸引管路及び処置具挿通用管路は、内視鏡を用いた検査、処置において採取した体腔内の組織等が通過するため、洗浄消毒装置を用いて各管路に洗浄液を供給するだけでは、各管路から汚物を確実に除去することができない場合がある。
【０００５】
そこで、使用者は、内視鏡の各管路の洗浄性を高めるため、洗浄消毒装置を用いた洗浄消毒に先立って、例えば細長のワイヤの先端にブラシが固定された洗浄ブラシを、内視鏡の各管路に対し挿入して擦り洗いを行うことにより、内視鏡の各管路を予備洗浄して各管路に付着した汚物を除去した後、洗浄消毒装置を用いて各管路を洗浄消毒することを一般に行っている。
【０００６】
しかしながら、使用者にとって、洗浄ブラシを内視鏡の各管路に挿入し、擦り洗いによる予備洗浄を行うことは大変煩雑であり、内視鏡の洗浄消毒に対する作業時間の増加を招いてしまうといった問題があった。
【０００７】
このような問題に鑑み、洗浄ブラシを内視鏡の各管路に自動的に挿入し、該挿入した洗浄ブラシを進退駆動するとともに、洗浄液または消毒液を供給することで、容易かつ短時間にて内視鏡の各管路を確実に擦り洗いできるとともに、洗浄消毒することのできる内視鏡洗浄装置が周知であり、例えば特許文献１に開示されている。
【０００８】
図９は、従来の洗浄消毒装置における洗浄消毒槽に収容された内視鏡の管路に洗浄ブラシを自動的に挿入する構成の概略を示す平面図である。
【０００９】
図９に示すように、特許文献１には、洗浄消毒装置２００の洗浄消毒槽２１０に収容された、操作部２２１と挿入部２２２とユニバーサルコード２２３とコネクタ２２４とから構成された内視鏡２２０の内部に具備された、例えば処置具挿通管路を兼ねた吸引管路２３０の各部位２３０ａ、２３０ｂ、２３０ｃ、２３０ｄに対し、それぞれ吸引管路２３０に連通する操作部２２１に設けられた口金２４１、処置具挿通口２４２に、収容室２５０から延出された各接続管２５１、２５２を装着して、収容室２５０に巻回されて収容されている各洗浄ブラシ２５３、２５４を図示しない自動挿抜機構により自動的に進退させて挿抜するとともに、図示しない洗浄液供給機構により洗浄液を供給することにより、自動的に内視鏡２２０の内部の吸引管路２３０を擦り洗いしながら洗浄することのできる構成を具備する洗浄消毒装置が開示されている。
【特許文献１】特開２００２−２０９８４７号公報
【発明の開示】
【発明が解決しようとする課題】
【００１０】
ところで、特許文献１に開示された洗浄消毒装置２００においては、吸引管路２３０は、操作部２２１における口金２４１近傍の分岐部２６０おいて、ユニバーサルコード２２３内に挿通された部位２３０ａと、操作部２２１、挿入部２２２側に挿通された部位２３０ｂ、２３０ｃとに分岐している。
【００１１】
尚、分岐部２６０は、洗浄消毒を行う場合以外においては、口金２４１に嵌入される吸引操作釦が配置されるスペースとなっている。吸引操作釦は、通常は、部位２３０ａと部位２３０ｂとの連通を塞ぎ、押し込まれた場合のみ、分岐部２６０において、部位２３０ａと部位２３０ｂとを連通させる構成を有している。
【００１２】
よって分岐部２６０が形成されていると、口金２４１に接続管２５１を装着して、洗浄ブラシ２５３を自動的に挿入すると、洗浄ブラシ２５３は、口金２４１に対する洗浄ブラシ２５３に進行方向に設けられた部位２３０ａのみしか挿入されず、部位２３０ｂ側には挿入されないといった不具合があった。尚、部位２３０ｃは、処置具挿通口２４２から挿入される洗浄ブラシ２５４によって洗浄されるため、このような不具合はない。
【００１３】
そこで、特許文献１には、口金２４１に接続管２５１を装着するに先立って、接続管２５１の先端から洗浄ブラシ２５３の先端側を突出させ、使用者が口金２４１から部位２３０ｂ側に洗浄ブラシ２５３の先端側を進入させた状態で、口金２４１に接続管２５１を装着させて、洗浄ブラシ２５３を自動的に進退駆動によって挿抜させることにより、部位２３０ｂをも擦り洗いすることのできる手法が開示されている。
【００１４】
尚、この手法を用いれば、洗浄ブラシ２５３を部位２３０ｂ、２３０ｃ、２３０ｂの順に１往復させ、洗浄ブラシ２５３を口金２４１付近まで抜去した後、再度洗浄ブラシ２５３を自動的に送り出すと、洗浄ブラシ２５３は、今度は、部位２３０ａ側に進入するため、部位２３０ａも確実に擦り洗いすることができる。
【００１５】
ここで、吸引管路２３０は、処置具に付着した汚れや吸引した組織等が付着していることから、１往復の擦り洗いでは、汚れは確実に除去することができない場合があるため、吸引管路２３０に対しては、２往復以上の洗浄ブラシを用いた擦り洗いを行う必要がある。
【００１６】
しかしながら、特許文献１に開示された構成及び手法では、部位２３０ａは、洗浄ブラシ２５３によって、２往復以上の擦り洗いが可能であり、部位２３０ｃ、２３０ｄも、洗浄ブラシ２５４によって、２往復以上の擦り洗いが可能であるが、部位２３０ｂは、洗浄ブラシ２５３による最初の１往復のみしか擦り洗いを行うことができないと問題があった。
【００１７】
このような問題に鑑み、口金２４１に、部位２３０ｂに挿通させる洗浄ブラシを具備する接続管を接続管２５１とは別途に装着する構成も考えられるが、この場合、接続管の本数が増加してしまうため、洗浄消毒装置を製造する際、コストアップしてしまうといった問題がある。
【００１８】
また、分岐部２６０に、自動的に洗浄ブラシ２５３を部位２３０ａと部位２３０ｂとに入れ分ける電磁弁を設ける構成も考えられるが、この場合、電磁弁の制御が複雑になる他、矢張り、コストアップしてしまうといった問題がある。
【００１９】
さらに、部位２３０ｂを擦り洗いする度に、使用者が接続管２５１の先端側から洗浄ブラシ２５３を突出させ、使用者が、洗浄ブラシ２５３の先端側を、部位２３０ｂに口金２４１を介して進入させた後、自動的に挿抜させる手法も考えられるが、該作業は、使用者にとって大変煩雑であるといった問題がある。
【００２０】
本発明の目的は、上記問題点に鑑みてなされたものであり、低コストかつ簡単な構成にて、全ての管路内に自動的に洗浄ブラシを２往復以上挿抜することができ、確実に擦り洗いすることができる構成を具備する洗浄消毒装置を提供するにある。
【課題を解決するための手段】
【００２１】
上記目的を達成するため本発明による洗浄消毒装置は、長尺の洗浄ブラシを、被洗浄消毒物内に設けられた管路に自動的に挿抜するとともに洗浄液を前記管路に供給して、前記管路を洗浄する洗浄消毒装置であって、前記被洗浄消毒物の外表面に設けられた前記管路に連通する第１の口金部に装着された後、前記管路に前記洗浄ブラシ及び前記洗浄液を供給する第２の口金部と、前記第２の口金部に形成された、前記第１の口金部に前記第２の口金部が装着された際、前記第１の口金部内の分岐部において２方向に分岐された前記管路における一方の管路に連通する第１の開口及び他方の管路に連通する第２の開口と、前記第２の口金部の内部に設けられた、前記第１の口金部に前記第２の口金部が装着された際、前記分岐部に位置する回動自在な管路切替弁と、を具備し、前記管路切替弁は、前記第２の口金部から前記管路に対して送液を伴わずに前記洗浄ブラシを供給した際、前記洗浄ブラシによって第１の面が一方向に第１の角度回転するよう押圧されることにより、前記洗浄ブラシを、前記第１の面によって前記第１の開口を介して前記一方の管路側にガイドし、前記第２の口金部から前記管路に対して前記洗浄ブラシを伴わずに送液が行われると前記洗浄液によって前記第１の面が押圧されることにより、前記第１の角度より大きい第２の角度、前記一方向に回転し、前記第２の口金部から挿入された前記洗浄ブラシを、前記第１の面と反対側の第２の面によって前記第２の開口を介して前記他方の管路側にガイドすることを特徴とする。
【発明の効果】
【００２２】
本発明によれば、低コストかつ簡単な構成にて、全ての管路内に自動的に洗浄ブラシを２往復以上挿抜することができ、確実に擦り洗いすることができる構成を具備する洗浄消毒装置を提供することができる。
【発明を実施するための最良の形態】
【００２３】
以下、図面を参照して本発明の実施の形態を説明する。  
図１は、本実施の形態を示す洗浄消毒装置の構成の概略を示す平面図である。  
図１に示すように、洗浄消毒装置１は、使用済みの被洗浄消毒物である内視鏡１０に対して自動的に洗浄消毒を行う装置であり、装置本体２において、使用済みの内視鏡１０が収容される洗浄消毒槽３を具備している。
【００２４】
内視鏡１０は、周知のように、細長い挿入部１４と、該挿入部１４の基端側に設けられた操作部１１と、該操作部１１から延出したユニバーサルコード１２と、該ユニバーサルコード１２の延出端に設けられた、内視鏡１０を外部装置と接続する用の内視鏡コネクタ１３とによって主要部が構成されている。尚、操作部１１は、内視鏡１０が洗浄消毒槽３に収容された際、図示しない位置規制ガイドによって、洗浄消毒槽３内における位置が規定されるようになっている。
【００２５】
また、内視鏡１０の内部には、送気送水管路や前方送水管路、処置具挿通管路を兼ねた吸引管路２０等の複数の管路が挿通されている。尚、送気送水管路、前方送水管路は、図面を簡略化するため、図１においては図示していない。
【００２６】
さらに、内視鏡１０の内部には、周知のように、複数の管路の他、撮像ユニットや、照明ユニット、各種信号ケーブル等の内蔵物が設けられているが、これらの内蔵物も図面を簡略化するため、図１においては図示していない。
【００２７】
吸引管路２０は、挿入部１４の先端部から内視鏡コネクタ１３まで挿通されており、内視鏡１０を体腔内に挿入した際、挿入部１４の先端側から体腔内の組織や体液等を吸引したり、後述する処置具挿通口１９から挿入した各種処置具を挿入部１４の先端側から突出させて、体腔内の観察部位に対して各種処置をしたりする際に用いられる管路である。
【００２８】
吸引管路２０は、挿入部１４内に挿通された部位２０ｃと、該部位２０ｃに連通する操作部１１に挿通された部位２０ｂと、部位２０ｃに連通するとともに、操作部１１に形成された処置具挿通口１９に連通する部位２０ｄと、部位２０ｂと後述する第１の口金部１５内の分岐部２５において連通する、ユニバーサルコード１２内に挿通された部位２０ａとにより主要部が構成されている。尚、部位２０ａは、分岐部２５において分岐された一方の管路を構成しており、部位２０ｂは、他方の管路を構成している。
【００２９】
また、部位２０ａ、２０ｂは、操作部１１の外表面に設けられた口金ユニット１５０の第１の口金部１５において、内視鏡１０外と連通自在となっている。
【００３０】
装置本体２における洗浄消毒槽３の操作部１１が載置される位置に近接する位置に、吸引管路２０に洗浄ブラシを自動的に挿抜する洗浄ブラシ送り戻しユニット７０、７１が設けられている。
【００３１】
洗浄ブラシ送り戻しユニット７０は、長尺の洗浄ブラシ５が巻回されて収容される収容室３３と、該収容室３３に連通する収納部に設けられた収容室３３から洗浄ブラシ５を送り戻しする用の洗浄ブラシ駆動機構３４と、該洗浄ブラシ駆動機構３４の収容部に連通するとともに、収容部の洗浄ブラシ５の送り出し方向Ｓ（図３参照）の先端側（以下、単に先端側と称す）に接続された洗浄ブラシ５が通過する接続用チューブ３２と、該接続用チューブ３２の先端側に接続された装脱ユニット１３１とにより主要部が構成されている。
【００３２】
尚、洗浄ブラシ５は、長尺なワイヤ５ｂと該ワイヤ５ｂの先端側に設けられたブラシ部５ａとにより主要部が構成されている。また、装脱ユニット１３１は、接続用チューブ３２に連通する後述する第２の口金部３１を有している。
【００３３】
洗浄ブラシ送り戻しユニット７０は、洗浄消毒槽３に収容された内視鏡１０を洗浄消毒するに当たり、口金ユニット１５０に装脱ユニット１３１が装着され、第１の口金部１５に第２の口金部３１が装着された際、第１の口金部１５を介して洗浄ブラシ５を、吸引管路２０の部位２０ａ、２０ｂ、２０ｃに自動的に挿抜するものである。尚、第１の口金部１５と第２の口金部３１との接続構成は、後述する図２〜図５において説明する。
【００３４】
尚、洗浄ブラシ送り戻しユニット７０には、収容室３３に洗浄液が装置本体２から供給される構成を有している。よって、洗浄ブラシ送り戻しユニット７０は、吸引管路２０の部位２０ａ、２０ｂ、２０ｃに対し、洗浄ブラシ５のみならず、収容室３３から流れ出した洗浄液をも供給可能な構成を有している。
【００３５】
洗浄ブラシ送り戻しユニット７１は、長尺の洗浄ブラシ６が巻回されて収容される収容室３７と、該収容室３７に連通する収納部に設けられた収容室３７から洗浄ブラシ６を送り戻しする用の洗浄ブラシ駆動機構３８と、該洗浄ブラシ駆動機構３８の収容部に連通するとともに、収容部の先端側に接続された洗浄ブラシ６が通過する接続用チューブ３６と、該接続用チューブ３６の先端側に接続された口金３５とにより主要部が構成されている。尚、洗浄ブラシ６は、長尺なワイヤ６ｂと該ワイヤ６ｂの先端側に設けられたブラシ部６ａとにより主要部が構成されている。
【００３６】
洗浄ブラシ送り戻しユニット７１は、洗浄消毒槽３に収容された内視鏡１０を洗浄消毒するに当たり、処置具挿通口１９に口金３５が装着された際、処置具挿通口１９から洗浄ブラシ６を、吸引管路２０の部位２０ｄ、２０ｃに自動的に挿抜するものである。
【００３７】
尚、洗浄ブラシ送り戻しユニット７１にも、収容室３７に洗浄液が装置本体２から供給される構成を有している。よって、洗浄ブラシ送り戻しユニット７１は、吸引管路２０の部位２０ｄ、２０ｃに対し、洗浄ブラシ６のみならず、収容室３７から流れ出た洗浄液をも供給可能な構成を有している。
【００３８】
次に、上述した第１の口金部１５と第２の口金部３１との接続構成を、図２〜図５を用いて説明する。
【００３９】
図２は、図１の内視鏡の操作部の第１の口金部に洗浄ブラシ送り戻しユニットの第２の口金部が装着された状態を示す断面図、図３は、図２の第２の口金部内に設けられた管路切替弁を拡大して示す斜視図である。また、図４は、図２の管路切替弁が送液により一の方向に回転した状態を、第１の口金部に第２の口金部が装着された状態で示す断面図、図５は、図４の状態における管路切替弁を拡大して示す斜視図である。
【００４０】
図２に示すように、口金ユニット１５０の第１の口金部１５は、内部に、吸引管路２０の部位２０ａに連通する管路１５ａと、該管路１５ａから所定の角度、例えば４５°傾いた管路１５ｂが形成されている。尚、管路１５ｂは、吸引管路２０の部位２０ｂに連通するとともに管路１５ａにも分岐部２５において連通する。また、管路１５ａと管路１５ｂとの間の角度は、４５°に限定されない。
【００４１】
また、第１の口金部１５の開口１５ｋ側の外周には、口金ユニット１５０に対し、装脱ユニット１３１が装着され、第１の口金部１５に対して第２の口金部３１が装着された際、第１の口金部１５に対する第２の口金部３１の回転方向の位置を規制する回転規制部材である係止部１５ｆが形成されている。
【００４２】
具体的には、係止部１５ｆには、口金ユニット１５０に対して装脱ユニット１３１が装着された際、装脱ユニット１３１に形成された図示しない爪部が係止される。このことにより、第１の口金部１５に対して第２の口金部３１の回転方向の位置が規制される。
【００４３】
第２の口金部３１は、口金ユニット１５０に装脱ユニット１３１が装着されて、第１の口金部１５に第２の口金部３１が装着された際、第１の口金部１５の内部の管路１５ａに挿入される挿入部位３１ｐと、送り出し方向Ｓの中途位置に設けられ、第１の口金部１５に第２の口金部３１が装着された際、第１の口金部１５の開口１５ｋが形成された面に突き当たるフランジ部３１ｒと、送り出し方向Ｓの後端側（以下、単に後端側と称す）の外周に形成されたチューブ３２の先端側が接続される接続部３１ｑとを有して主要部が構成されている。
【００４４】
また、第２の口金部３１の挿入部位３１ｐには、第１の口金部１５に第２の口金部３１が装着された際、吸引管路２０の部位２０ａに連通するともに、第１の口金部１５の管路１５ａに連通する第１の開口３１ａと、吸引管路２０の部位２０ｂに連通するとともに、第１の口金部１５の管路１５ｂに連通する第２の開口３１ｂとが形成されている。
【００４５】
第２の口金部３１の挿入部位３１ｐの内部３１ｉに、第１の口金部１５に第２の口金部３１が装着された際、分岐部２５に位置する管路切替弁５０が設けられている。
【００４６】
管路切替弁５０は、図３に示すように、送り出し方向Ｓからみた面が、略縦長の楕円形状を有する第１の面である傾斜面５０ｆを有するとともに、送り出し方向Ｓに直交する方向Ｒからみた形状が、略三角形状を有して形成されている。
【００４７】
尚、傾斜面５０ｆには、第２の口金部３１に挿入された洗浄ブラシ５を吸引管路２０の部位２０ａ側にガイドする第１のガイド溝５１が形成されている。また、傾斜面５０ｆは、第２の口金部３１に洗浄ブラシ５が挿入される前または洗浄液が供給される前は、後述する巻きバネ５４による付勢により、図２に示すように、第１の口金部１５の開口１５ｋ側を指向している。
【００４８】
また、図４、図５に示すように、管路切替弁５０の傾斜面５０ｆと反対側の第２の面である傾斜面５０ｓに、第２の口金部３１から挿入された洗浄ブラシ５を吸引管路２０の部位２０ｂ側にガイドする第２のガイド溝５２が形成されている。
【００４９】
また、傾斜面５０ｓは、第２の口金部３１に洗浄ブラシ５が挿入される前または洗浄液が供給される前は、図２に示すように、第２の口金部３１の第１の開口３１ａ側を指向している。
【００５０】
管路切替弁５０は、図３、図５に示すように、第２の開口３１ｂ側となる底部側において、方向Ｒに沿って挿入された回動軸５３を回動中心として、一の方向Ｒ１及び他の方向Ｒ２に回動自在となっている。
【００５１】
具体的には、管路切替弁５０は、第２の口金部３１に洗浄ブラシ５が挿入されると、洗浄ブラシ５による押圧により、図２、図３に示すように、傾斜面５０ｆが第１の口金部１５の開口１５ｋ側を指向している位置から、回動軸５３を回転軸として一の方向Ｒ１に、傾斜面５０ｆ及び傾斜面５０ｓが第２の口金部３１の挿入部位３１ｐの内壁３１ｎを指向するまで、巻きバネ５４の付勢に抗して第１の角度回転するようになっている。
【００５２】
さらに、管路切替弁５０は、第２の口金部３１に洗浄液が供給されると、洗浄液による押圧により、図２、図３に示すように、傾斜面５０ｆが第１の口金部１５の開口１５ｋ側を指向している位置から、図４、図５に示すように、回動軸５３を回転軸として一の方向Ｒ１に、傾斜面５０ｓが第１の口金部１５の開口１５ｋ及び第２の開口３１ｂ側を指向する方向に、巻きバネ５４の付勢よりも洗浄液の水圧が大きくなることにより、巻きバネ５４の付勢に抗して第２の角度回転するようになっている。
【００５３】
尚、洗浄液の送液により、管路切替弁５０が一の方向Ｒ１に第２の角度回転した場合には、図４に示すように、管路切替弁５０の傾斜面５０ｆの送り出し方向Ｓに沿った各端部が、第２の口金部３１の挿入部位３１ｐの内壁３１ｎに接触することにより、第２の角度が規定される。
【００５４】
以上から、管路切替弁５０は、傾斜面５０ｆに形成された第１のガイド溝５１によって、第２の口金部３１に挿入された洗浄ブラシ５を、吸引管路２０の部位２０ａ側にガイドし、傾斜面５０ｓに形成された第２のガイド溝５２によって、洗浄液の供給後、第２の口金部３１に挿入された洗浄ブラシ５を、吸引管路２０の部位２０ｂ側にガイドする。
【００５５】
尚、管路切替弁５０の一の方向Ｒ１への回転に伴って、第２のガイド溝５２により、洗浄ブラシ５を、確実に吸引管路２０の部位２０ｂ側にガイドすることができるのは、上述したように、口金ユニット１５０に対して装脱ユニット１３１が装着された際、装脱ユニット１３１の図示しない爪部が係止部１５ｆに係止されることにより、第１の口金部１５に対する第２の口金部３１の回転方向の位置が規制されているためである。
【００５６】
また、図３、図５に示すように、回動軸５３には、常時、管路切替弁５０を、他の方向Ｒ２に回転させて、第２の口金部３１への洗浄ブラシ５の挿入または洗浄液の供給がない場合には、傾斜面５０ｆを第１の口金部１５の開口１５ｋ側を指向させるとともに、傾斜面５０ｓを第１の開口３１ａ側に指向させるよう管路切替弁５０を回転させる戻し部材である巻きバネ５４が巻回されている。
【００５７】
さらに、第２の口金部３１の内壁３１ｎであって、管路切替弁５０よりも後端側に、第２の口金部３１に挿入された洗浄ブラシ５を管路切替弁５０へと案内するガイド溝４０が形成されている。
【００５８】
次に、このように構成された本実施の形態の作用、具体的には、吸引管路の洗浄方法について、上述した図１及び図６〜図８を用いて説明する。尚、通常、洗浄消毒装置１においては、吸引管路のみならず、他の管路や内視鏡の外表面も洗浄するが、その手法は周知であるため、その説明は省略する。
【００５９】
図６は、内視鏡の操作部の第１の口金部に第２の口金部が装着され、第２の口金部に洗浄ブラシが挿入された状態を示す部分断面図、図７は、洗浄ブラシによって図６の管路切替弁を押圧して管路切替弁を一の方向に第１の角度回転させた後、洗浄ブラシを管路切替弁の第１のガイド溝によって吸引管路の一方の管路側にガイドした状態を示す部分断面図、図８は、洗浄液によって図６の管路切替弁を押圧して管路切替弁を一の方向に第２の角度回転させた後、洗浄ブラシを管路切替弁の第２のガイド溝によって吸引管路の他方の管路側にガイドしようとする状態を示す部分断面図である。
【００６０】
先ず、洗浄消毒槽３に収容された内視鏡１０の吸引管路２０を洗浄する場合には、使用者は、操作部１１の口金ユニット１５０に対して洗浄ブラシ送り戻しユニット７０の装脱ユニット１３１を装着する。
【００６１】
その結果、図６に示すように、第１の口金部１５に対して、第２の口金部３１が装着される。具体的には、第１の口金部１５の管路１５ａ内に、開口１５ｋから第２の口金部３１の挿入部位３１ｐが、第１の口金部１５の開口１５ｋが形成された面にフランジ部３１ｒが突き当たるまで挿入される。
【００６２】
尚、この際、装脱ユニット１３１の図示しない爪部が、第１の口金部１５の係止部１５ｆに係止されるため、第１の口金部１５に対する第２の口金部３１の回転方向の位置が規定される。
【００６３】
また、第１の口金部１５に第２の口金部３１が装着されると、管路切替弁５０は、分岐部２５に位置する。管路切替弁５０は、巻きバネ５４により、図６に示すように、傾斜面５０ｆが第１の口金部１５の開口１５ｋを指向するとともに、傾斜面５０ｓが第２の口金部３１の第１の開口３１ａ側を指向している。
【００６４】
さらに、使用者は、操作部１１の処置具挿通口１９に対して、洗浄ブラシ送り戻しユニット７１の口金３５を装着する。
【００６５】
その後、装置本体２に設けられた図示しない洗浄開始スイッチが使用者によって押下されると、洗浄ブラシ送り戻しユニット７１から洗浄ブラシ駆動機構３８によって洗浄ブラシ６が自動的に送り出されるとともに洗浄液が供給されると、洗浄ブラシ６及び洗浄液は、チューブ３６を介して処置具挿通口１９から、吸引管路２０の部位２０ｄ、２０ｃに供給される。
【００６６】
その後、洗浄ブラシ６が、洗浄液が供給された状態で、吸引管路２０の部位２０ｄ、２０ｃにおいて、複数回、自動的に往復移動されることにより、部位２０ｄ、２０ｃは、洗浄ブラシ６のブラシ部６ａにより確実に擦り洗いされる。
【００６７】
その一方で、洗浄ブラシ送り戻しユニット７１から洗浄ブラシ駆動機構３４によって洗浄ブラシ５が、送り出し方向Ｓの先端側に自動的に送り出されると、図６に示すように、洗浄ブラシ５は、チューブ３２を介して第２の口金部３１の内部３１ｉに進入する。尚、この時点においては、まだ洗浄液は供給しない。
【００６８】
その後、洗浄ブラシ５は、第２の口金部３１の内壁３１ｎに形成されたガイド溝４０により、管路切替弁５０へとガイドされる。その後、さらに、洗浄ブラシ５が送り出し方向Ｓの先端側に自動的に送り出されると、洗浄ブラシ５の先端に設けられた、洗浄の際、吸引管路２０に傷を付着してしまうことを防止する球状部材５ｃが、図６に示すように、管路切替弁５０の傾斜面５０ｆに接触する。
【００６９】
さらに、洗浄ブラシ５が送り出し方向Ｓの先端側に自動的に送り出されると、球状部材５ｃは傾斜面５０ｆの第１のガイド溝５１によって、傾斜面５０ｆの略中央に誘導されるともに、球状部材５ｃが、管路切替弁５０を、巻きバネ５４の付勢に抗して押圧することにより、図７に示すように、管路切替弁５０が、傾斜面５０ｆ及び傾斜面５０ｓが第２の口金部３１の内壁３１ｎを指向する方向まで、第１の角度、一の方向Ｒ１に回転する。
【００７０】
その結果、洗浄ブラシ５のワイヤ５ｂが第１のガイド溝５１に誘導された状態で、ブラシ部５ａは、第１の開口３１ａを介して第１の口金部１５の管路１５ａ側に進入し、その後、さらに洗浄ブラシ５が送り出し方向Ｓの先端側に送り出されると、ブラシ部５ａは、吸引管路２０の部位２０ａ側に挿入される。
【００７１】
その後、洗浄ブラシ５が、洗浄液が供給された状態で、吸引管路２０の部位２０ａにおいて、複数回、自動的に往復移動されることにより、部位２０ａは、洗浄ブラシ５のブラシ部５ａにより確実に擦り洗いされる。尚、この際、洗浄液は、第２の開口３１ｂ、管路１５ｂを介して、吸引管路２０の部位２０ｂ側へも供給される。
【００７２】
吸引管路２０の部位２０ｃ、２０ｄの擦り洗いが完了した後、洗浄ブラシ６は、洗浄ブラシ駆動機構３８によって自動的に引き戻され、収容室３７に収容される。また、吸引管路２０の部位２０ａの擦り洗いが完了した後、洗浄ブラシ５は、洗浄ブラシ駆動機構３４によって、第２の口金部３１の内部３１ｉの図６に示す管路切替弁５０よりも後端側の位置にブラシ部５ａが位置するまで送り出し方向Ｓの後端側に自動的に引き戻される。
【００７３】
さらに、管路切替弁５０は、巻きバネ５４の付勢により、傾斜面５０ｆが第１の口金部１５の開口１５ｋを指向するとともに、傾斜面５０ｓが第２の口金部３１の第１の開口３１ａを指向する位置まで、他の方向Ｒ２に回転して戻る。
【００７４】
この状態において、洗浄ブラシ送り戻しユニット７０からチューブ３２を介して第２の口金部３１の内部３１ｉに洗浄液を供給すると、管路切替弁５０の傾斜面５０ｆが洗浄液によって押圧されることにより、傾斜面５０ｆが、第２の口金部３１の第１の開口３１ａを指向するとともに、傾斜面５０ｓが、第１の口金部１５の開口１５ｋ及び第２の口金部３１の第２の開口３１ｂを指向する位置まで、管路切替弁５０は、巻きバネ５４の付勢に抗して第２の角度、一の方向Ｒ１に回転する。尚、この際、管路切替弁５０の第２の角度は、傾斜面５０ｆの送り出し方向Ｓに沿った各端部が、挿入部位３１ｐの内壁３１ｎに接触することにより規定される。
【００７５】
この状態において、洗浄ブラシ５が送り出し方向Ｓに自動的に送り出されると、洗浄ブラシ５は、ガイド溝４０によって管路切替弁５０にガイドされ、洗浄ブラシ５の球状部材５ｃは、図８に示すように、傾斜面５０ｓに形成された第２のガイド溝５２にガイドされて、第２の開口３１ｂを介して第１の口金部１５の管路１５ｂに進入した後、吸引管路２０の部位２０ｂ、２０ｃに進入する。
【００７６】
その後、洗浄ブラシ５が、洗浄液が供給された状態において、吸引管路２０の部位２０ｂ、２０ｃにおいて、複数回、自動的に往復移動されることにより、部位２０ｂ、２０ｃは、洗浄ブラシ５のブラシ部５ａにより確実に擦り洗いされる。尚、この際、洗浄液は、第１の開口３１ａ、管路１５ａを介して、吸引管路２０の部位２０ａ側へも供給される。
【００７７】
最後に、吸引管路２０の部位２０ｂ、２０ｃの擦り洗いが完了した後、洗浄液の供給が停止され、洗浄ブラシ５は、洗浄ブラシ駆動機構３４によって、収容室３３まで送り出し方向Ｓの後端側に自動的に引き戻される。
【００７８】
さらに、管路切替弁５０は、巻きバネ５４の付勢により、傾斜面５０ｆが第１の口金部１５の開口１５ｋを指向するとともに、傾斜面５０ｓが第２の口金部３１の第１の開口３１ａを指向する位置まで、他の方向Ｒ２に回転して戻る。
【００７９】
このように、本実施の形態においては、第２の口金部３１の挿入部位３１ｐの内部に、第１の口金部１５に第２の口金部３１を装着した際、分岐部２５に位置する一の方向Ｒ１及び他の方向Ｒ２に回動自在な管路切替弁５０が設けられていると示した。
【００８０】
また、吸引管路２０の部位２０ａ側を、洗浄ブラシ５を用いて洗浄する場合には、洗浄液を供給せずに、第２の口金部３１の内部３１ｉに挿入した洗浄ブラシ５で、管路切替弁５０を押圧して、管路切替弁５０を第１の角度、一の方向Ｒ１に回転させて、洗浄ブラシ５を管路切替弁５０の傾斜面５０ｆの第１のガイド溝５１によるガイドによって部位２０ａ側に挿入した後、洗浄液を供給して行うと示した。
【００８１】
また、吸引管路２０の部位２０ｂ側を、洗浄ブラシ５を用いて洗浄する場合には、洗浄液のみを供給することにより、洗浄液で管路切替弁５０を押圧して、管路切替弁５０を第２の角度、一の方向Ｒ１に回転させて、第２の口金部３１の内部３１ｉに挿入した洗浄ブラシ５を、管路切替弁５０の傾斜面５０ｓの第２のガイド溝５２によるガイドによって部位２０ｂ側に挿入して行うと示した。
【００８２】
このことによれば、管路切替弁５０を洗浄ブラシ５または洗浄液によって押圧することにより、管路切替弁５０は、洗浄ブラシ５の挿入方向を、吸引管路２０の部位２０ａ側と部位２０ｂ側とに切り換えることができることから、洗浄ブラシ５を、簡単な構成によって、容易かつ自動的に吸引管路２０の部位２０ａと部位２０ｂとに入れ分けることができる。その結果、１つの洗浄ブラシ５によって、自動的に、吸引管路２０の部位２０ａ、２０ｂを２往復以上、確実に擦り洗いすることができる。
【００８３】
よって、分岐部２５に電子制御で切り換える切替弁を設ける必要がない他、吸引管路２０の部位２０ａに挿入される洗浄ブラシと部位２０ｂに挿入される洗浄ブラシとを別途用意する必要がなくなる。
【００８４】
以上から、低コストかつ簡単な構成にて、全ての管路内に自動的に洗浄ブラシを２往復以上挿抜することができ、確実に擦り洗いすることができる構成を具備する洗浄消毒装置１を提供することができる。
【００８５】
尚、以下、変形例を示す。本実施の形態においては、吸引管路２０の部位２０ａ側を洗浄した後に、部位２０ｂ側を洗浄すると示したが、順番は、その逆であっても良いことはいうまでもない。
【００８６】
また、本実施の形態においては、管路は、内視鏡内に設けられた吸引管路２０を例に挙げて示したが、これに限らず、洗浄ブラシにより擦り洗いが必要であって、分岐部を有する管路であれば、内視鏡内のどの管路に適用しても構わないということは勿論である。
【００８７】
さらに、本実施の形態においては、被洗浄消毒物は、内視鏡を例に挙げて示したが、内視鏡以外の分岐部を有する管路を具備する被洗浄消毒物の管路内の洗浄に本実施の形態を適用しても構わないということは云うまでもない。
【００８８】
また、本実施の形態においては、装脱ユニット１３１の爪部が、第１の口金部１５の係止部１５ｆに係止することにより、第１の口金部１５に対して第２の口金部３１の回転方向の位置を規制すると示したが、第１の口金部１５に爪部を設け、装脱ユニット１３１に該爪部が係止する回転規制部材となる係止部を設けても良いことは勿論である。
【図面の簡単な説明】
【００８９】
【図１】本実施の形態を示す洗浄消毒装置の構成の概略を示す平面図。
【図２】図１の内視鏡の操作部の第１の口金部に洗浄ブラシ送り戻しユニットの第２の口金部が装着された状態を示す断面図。
【図３】図２の第２の口金部内に設けられた管路切替弁を拡大して示す斜視図。
【図４】図２の管路切替弁が送液により一の方向に回転した状態を、第１の口金部に第２の口金部が装着された状態で示す断面図。
【図５】図４の状態における管路切替弁を拡大して示す斜視図。
【図６】内視鏡の操作部の第１の口金部に第２の口金部が装着され、第２の口金部に洗浄ブラシが挿入された状態を示す部分断面図。
【図７】洗浄ブラシによって図６の管路切替弁を押圧して管路切替弁を一の方向に第１の角度回転させた後、洗浄ブラシを管路切替弁の第１のガイド溝によって吸引管路の一方の管路側にガイドした状態を示す部分断面図。
【図８】洗浄液によって図６の管路切替弁を押圧して管路切替弁を一の方向に第２の角度回転させた後、洗浄ブラシを管路切替弁の第２のガイド溝によって吸引管路の他方の管路側にガイドしようとする状態を示す部分断面図。
【図９】従来の洗浄消毒装置における洗浄消毒槽に収容された内視鏡の管路に洗浄ブラシを自動的に挿入する構成の概略を示す平面図。
【符号の説明】
【００９０】
１…洗浄消毒装置
５…洗浄ブラシ
１０…内視鏡（被洗浄消毒物）
１５…第１の口金部
１５ｆ…係止部（回転規制部材）
１５ｋ…開口
２０…吸引管路
２０ａ…吸引管路の部位（一方の管路）
２０ｂ…吸引管路の部位（他方の管路）
２５…分岐部
３１…第２の口金部
３１ａ…第１の開口
３１ｂ…第２の開口
３１ｎ…内壁
５０…管路切替弁
５０ｆ…傾斜面（第１の面）
５０ｓ…傾斜面（第２の面）
５１…第１のガイド溝
５２…第２のガイド溝
５４…巻きバネ（戻し部材）
Ｒ１…一の方向
Ｒ２…他の方向
【図１】
2009268809.tif 000003
【図２】
2009268809.tif 000004
【図３】
2009268809.tif 000005
【図４】
2009268809.tif 000006
【図５】
2009268809.tif 000007
【図６】
2009268809.tif 000008
【図７】
2009268809.tif 000009
【図８】
2009268809.tif 000010
【図９】
2009268809.tif 000011